(57)【要約】従来よりもセンサーを構造物に対して容易に取付け可能であると共に取付け品質のバラツキを抑制できるセンサーモジュールを提供する。弾性層と、前記弾性層の少なくとも一部の上方に配置され、構造物の性質に係る物理量を検知するセンサーと、前記弾性層の上方に配置され、前記センサーが取り付けられるフィルム層と、を備えるセンサーモジュール。【選択図】図１
2017155095.tif 000002
【特許請求の範囲】
【請求項１】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備えるセンサーモジュール。
【請求項２】
前記弾性層は、粘接着性を有する粘接着層である請求項１に記載のセンサーモジュール。
【請求項３】
前記弾性層は、粘接着性を有する第１粘接着層と、当該第１粘接着層の周縁に配置され前記第１粘接着層よりも粘着力が強い第２粘接着層とを含み、
前記センサーは、前記フィルム層と前記第１粘接着層との間に配置されることを特徴とする請求項１に記載のセンサーモジュール。
【請求項４】
前記フィルム層の前記第２面に、前記フィルム層の端部から所定の距離に設けられた第１切り欠き部をさらに含むことを特徴とする請求項１に記載のセンサーモジュール。
【請求項５】
前記第１切り欠き部は、前記フィルム層の前記第２面から、前記フィルム層の厚み方向に、前記フィルム層の中間よりも前記第１面側まで設けられていることを特徴とする請求項４に記載のセンサーモジュール。
【請求項６】
前記センサーは、前記構造物の歪みを計測する歪みセンサー、加速度センサー、熱センサー、温湿センサー、アコースティックエミッションセンサーのいずれかを含む請求項１に記載のセンサーモジュール。
【請求項７】
前記フィルム層と前記弾性層は、透明である請求項１に記載のセンサーモジュール。
【請求項８】
前記フィルム層には厚み方向に孔が形成され、前記孔には前記センサーの配線が通され、前記孔から前記配線の端子が露出するように構成される請求項１に記載のセンサーモジュール。
【請求項９】
前記フィルム層の前記第２面側に配置されて前記フィルム層を被覆し、耐候性を有する第１耐候性層をさらに備える請求項８に記載のセンサーモジュール。
【請求項１０】
前記フィルム層と前記第１耐候性層との間に配置される封止材層をさらに備える請求項９に記載のセンサーモジュール。
【請求項１１】
前記第１耐候性層は、厚み方向に当該第１耐候性層を貫通する第２切り欠き部をさらに含み、
前記第２切り欠き部は、前記第１耐候性層の端部から所定の距離に設けられ、前記第１切り欠き部と接続することを特徴とする請求項１０に記載のセンサーモジュール。
【請求項１２】
前記封止材層は、厚み方向に当該封止材層を貫通する第３切り欠き部をさらに含み、
前記第３切り欠き部は、前記封止材層の端部から所定の距離に設けられ、前記第１切り欠き部及び前記第２切り欠き部と接続することを特徴とする請求項１１に記載のセンサーモジュール。
【請求項１３】
前記フィルム層と前記封止材層との間、前記封止材層と前記第１耐候性層との間、及び前記第１耐候性層の前記フィルム層が配置される側とは反対側の少なくとも一つに、前記構造体に引き寄せられる性質を有するマグネットをさらに備えることを特徴とする請求項９に記載のセンサーモジュール。
【請求項１４】
前記封止材層は、内部に前記配線が配置される請求項１１に記載のセンサーモジュール。
【請求項１５】
前記第１耐候性層及び前記封止材層には厚み方向に孔が形成され、前記孔から前記配線の端子が露出するように構成される請求項１４に記載のセンサーモジュール。
【請求項１６】
前記封止材層の内部に配置される電子部品を備える請求項１１に記載のセンサーモジュール。
【請求項１７】
前記フィルム層及び前記弾性層の側面に配置されて前記フィルム層及び前記弾性層を被覆し、耐候性を有する第２耐候性層を備える請求項１に記載のセンサーモジュール。
【請求項１８】
前記電子部品は、少なくともアンプ、集積回路、発信機、電池のいずれかを含む請求項１６に記載のセンサーモジュール。
【請求項１９】
前記フィルム層は、ポリエチレンナフタレート、ポリエチレンテレフタレートのいずれかを含む請求項１に記載のセンサーモジュール。
【請求項２０】
前記弾性層は、光硬化性を有する層である請求項２に記載のセンサーモジュール。
【請求項２１】
前記弾性層は、アクリル系樹脂又はエポキシ系樹脂を含む請求項２０に記載のセンサーモジュール。
【請求項２２】
前記第１耐候性層及び前記封止材層が透明である請求項１０に記載のセンサーモジュール。
【請求項２３】
前記第２耐候性層が透明である請求項１７に記載のセンサーモジュール。
【請求項２４】
請求項１に記載のセンサーモジュールの各々は、前記センサーを少なくとも１つを有する単位シートであり、前記単位シートが互いに分離可能に複数結合されたシートモジュール。
【発明の詳細な説明】
【技術分野】
【０００１】
本開示は、構造物の性質に係る物理量を検知するセンサー等を備えるセンサーモジュール、及び、これを備えるシートモジュールに関する。
【背景技術】
【０００２】
道路、鉄道、港湾、ダム、建築物等の社会資本を構成する構造物の老朽化に対し、適切な維持管理が求められている。例えば、自動車道路や鉄道等における橋梁、トンネル、法面におけるコンクリート壁等においては、外壁の剥落があると大きな事故の原因となるため、定期的な点検及び検査を行い、必要箇所の補修工事が適宜行われている。【０００３】
構造物の定期点検等は、従来、センサーを構造物に取り付けることにより行われてきた。特許文献１には、亀裂検出部（センサー）が鋼構造物の表面にスプレー等の塗布により形成される技術が開示される。
【先行技術文献】
【特許文献】
【０００４】
【特許文献１】特開２００８−１９１１６９号公報
【発明の概要】
【発明が解決しようとする課題】
【０００５】
しかしながら、特許文献１に記載のセンサーモジュールでは、現場施工であるので、接着材の厚み、気泡の巻き込み等のムラにより、構造物に対する貼付品質のバラツキが生じる可能性がある。【０００６】
本開示は、上記実情に鑑み、従来よりもセンサーを構造物に対して容易に取付け可能であると共に取付け品質のバラツキを抑制できるセンサーモジュールを提供することを目的とする。
【課題を解決するための手段】
【０００７】
本開示の一実施形態に係るセンサーモジュールは、弾性層と前記弾性層の少なくとも一部の上方に配置され、構造物の性質に係る物理量を検知するセンサーと、前記弾性層の上方に配置され、前記センサーが取り付けられるフィルム層と、を備えるセンサーモジュール。
【発明の効果】
【０００８】
本開示によれば、従来よりもセンサーが構造物に対して容易に取付け可能であると共に取付け品質のバラツキが抑制される。
【図面の簡単な説明】
【０００９】
【図１Ａ】本開示の第１実施形態に係るセンサーモジュールの断面図である。
【図１Ｂ】本開示の第１実施形態に係るセンサーモジュールを構造物に固定した様子を示す断面図である。
【図２】センサー、配線、端子の平面図である。
【図３Ａ】第２実施形態に係るセンサーモジュールの断面図である。
【図３Ｂ】第２実施形態に係るセンサーモジュールを構造物に固定した様子を示す断面図である。
【図４Ａ】第２実施形態の他の例に係るセンサーモジュールの断面図である。
【図４Ｂ】図４Ａのセンサーモジュールを構造物に固定した様子を示す断面図である。
【図５Ａ】第３実施形態に係るセンサーモジュールの断面図である。
【図５Ｂ】図５Ａのセンサーモジュールを構造物に固定した様子を示す断面図である。
【図６Ａ】第３実施形態の他の例に係るセンサーモジュールの断面図である。
【図６Ｂ】図６Ａのセンサーモジュールを構造物に固定した様子を示す断面図である。
【図７】第４実施形態に係るセンサーモジュールの断面図である。
【図８】図７のセンサーモジュールを剥離フィルム側から見た平面図である。
【図９】第４実施形態の変形例２に係るセンサーモジュールを剥離フィルム側から見た平面図である。
【図１０】第５実施形態に係るセンサーモジュールの断面図である。
【図１１】図１０のセンサーモジュールをフィルム層の第２面側から見た図である。
【図１２】第５実施形態の変形例１に係るセンサーモジュールの断面図である。
【図１３】第５実施形態の変形例２に係るセンサーモジュールの断面図である。
【図１４】第６実施形態に係るセンサーモジュールの断面図である。
【図１５】シートモジュールの平面図である。
【発明を実施するための形態】
【００１０】
以下、本開示の実施の形態を、図面等を参照しながら説明する。但し、本開示は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本開示の解釈を限定するものではない。また、本明細書と各図において、既出の図に関して前述したものと同様の要素には、同一の符号を付して、詳細な説明を適宜省略することがある。また、説明の便宜上、上方又は下方という語句を用いて説明するが、上下方向が逆転してもよい。
【００１１】
本明細書において、ある部材又は領域が、他の部材又は領域の「上に（又は下に）」あるとする場合、特段の限定がない限り、これは他の部材又は領域の直上（又は直下）にある場合のみでなく、他の部材又は領域の上方（又は下方）にある場合を含み、すなわち、他の部材又は領域の上方（又は下方）において間に別の構成要素が含まれている場合も含む。
【００１２】
第１実施形態
１−１．電子部品モジュールの構成１
図１Ａは、本開示の第１実施形態に係るセンサーモジュール１０の断面図である。センサーモジュール１０は、弾性層５と、センサー６と、フィルム層７と、を備える。
【００１３】
本実施形態では、フィルム層７の下方（第１面側）にセンサー６が配置され、センサー６の下方に弾性層５が配置されている。フィルム層７の下にセンサー６が配置されることでセンサー６が守られ、センサー６の下に弾性層５が配置されることでセンサー６が構造物１００に対して容易に取付けられる。以下、フィルム層７、弾性層５、センサー６の順にセンサーモジュール１０の構成要素の各々に関して詳述していく。
【００１４】
１−１−１．フィルム層
フィルム層７は、湾曲可能であり、平面的に広がる形態もとれ、湾曲した形態もとれる。フィルム層７には、いずれの色彩のものが使用されても良い。なお、フィルム層７として例えば透明の材質のものが使用された場合には、フィルム層７が弾性層５により構造物１００に取付けられることで、構造物１００に亀裂が生じたときにユーザがその構造物１００の亀裂の状態を確認し易くなる利点がある。ここでは、フィルム層７は、後述する弾性層５の全面よりも上方に配置されている。なお、弾性層５がフィルム層７の裏面の一部に設けられる構成であっても良い。
【００１５】
フィルム層７には、いずれの材質のものが使用されても良いが、本実施例では例えばポリエチレンナフタレート、ポリエチレンテレフタレート、エポキシ、ポリイミド、液晶ポリマー等が適用できる。
【００１６】
また、フィルム層７は、センサー６を、水蒸気や紫外線（ＵＶ）から守る機能を有しても良い。さらに、フィルム層７には厚み方向に孔７ａが形成され、孔７ａには後述するセンサー６に繋がれたワイヤー１１と接続された配線９が配置され、孔７ａから配線９の端子９ａが露出するように構成されても良い。
【００１７】
１−１−２．弾性層
弾性層５は、粘着性と接着性とを共に有する粘接着層、粘着性を有する粘着層、接着性を有する接着層のうちのいずれの性質を有する層であっても良い。弾性層５がそのような性質であるゆえに、センサーモジュール１０は、簡便に構造物１００に対して貼付することができる。なお、前述の粘着性とは、タックなどと表現されるようなベタつきのように一時的な接着現象を意味し、接着性とは、半永久的な接着現象を意味し、区別されることがある。
【００１８】
弾性層５の材質には、例えばアクリル系樹脂やエポキシ系樹脂を含む構成であっても良い。また、弾性層５の材質には、潜在性の硬化剤、紫外線や電子線を照射することで塩基を発生する硬化触媒とメルカプト基を有する硬化剤、フェノール性水酸基を有する硬化剤が含まれても良い。従って、弾性層５は、空気に触れて経時的に硬化する層、光硬化性を有する層、常温で硬化する層、熱硬化性を有する層であっても良いと言える。
【００１９】
弾性層５は、構造物１００（図１Ｂ参照）に貼付されるときには粘着状態にある。そして、弾性層５は、構造物１００に貼付された後では硬化状態にある。センサーモジュール１０が構造物１００に貼付されるときには粘着状態にあるが、弾性層５は、加熱、光照射（紫外線の波長が望ましい）、電子線照射等されて硬化状態となり、センサーモジュール１０が構造物１００に固定される。
【００２０】
例えば、施工時には、弾性層５に対して剥離フィルム５０越しに光を照射して、弾性層５の硬化反応を開始させる。光照射からゆっくり硬化が進むので、数時間は粘着性を保っている。光照射後、速やかに弾性層５の一方の面５ａに設けられた剥離フィルム５０を剥離して、弾性層５を構造物１００に付着させる。弾性層５に対して加熱も例に挙げたが、弾性層５が室温によって徐々に硬化する構成でも構わない。弾性層５が硬化するときに、センサーモジュール１０を構造物１００に向かって加圧しても良い。
【００２１】
弾性層５は、硬化前と硬化後とでは弾性率が異なる。具体的には、温度０℃〜４０℃の範囲において、構造物１００に取り付けられていないとき、すなわち硬化前においては、０．０１ＭＰａ以上１０００ＭＰａ未満である。他方、構造物１００に取り付けられた時、すなわち、硬化後においては、１．０ＧＰａ以上１０ＧＰａ未満である。
【００２２】
弾性層５は、フィルム層７と共に、湾曲可能であり、平面的に広がった形態もとれ、湾曲した形態もとれる。弾性層５の厚さは、５０μｍ〜５００μｍ、好ましくは１００μｍ〜２５０μｍであればよい。弾性層５は、この範囲内の厚さであれば、センサーモジュール１０を構造物１００に取り付けるのに十分な粘着力を有し、さらに、加熱や光照射等により硬化させた後に高い接着力を有することができる。
【００２３】
弾性層５の厚さが５０μｍ未満である場合は、弾性層５が薄くなり、粘着力と接着力が不十分になることがある。一方、弾性層５の厚さが５００μｍを超えると、弾性層５に加熱や光照射等をした後の硬化が十分進行しなかったり、硬化時間が長くなったりすることがある。また、弾性層５は、上記厚さの範囲内で±１０μｍ以内のばらつきであることが好ましい。弾性層５の厚さが均一化されていることにより、構造物１００に対するセンサーモジュール１０の取り付け状態のバラツキが低減される。
【００２４】
弾性層５は、構造物１００に貼付される前には、一方の面５ａ（裏面）に剥離フィルム５０が貼付されていて、他方の面５ｂ（表面）にフィルム層７が貼付されている。他方の面５ｂとフィルム層７との接着力と、一方の面５ａと剥離フィルム５０との接着力とでは、一方の面５ａと剥離フィルム５０との接着力の方が弱いので、剥離フィルム５０が剥がされても、弾性層５がフィルム層７に残った状態となる。剥離フィルム５０は、センサーモジュール１０が構造物１００に貼付される前に、弾性層５から剥離される。剥離フィルム５０が剥離された後は、センサーモジュール１０は、簡便に構造物１００に貼付して使用できる。
【００２５】
１−１−３．センサー
センサー６は前述の弾性層５の一部の上方に配置される。製造過程では、フィルム層７の下面に接着材層８が形成され、その接着材層８の下面にセンサー６が取り付けられる。そして、この構成の下から弾性層５が形成される。弾性層５の下から剥離フィルム５０が形成される。
【００２６】
センサー６は構造物１００（図１Ｂ参照）の性質に係る物理量を検知する。このセンサー６は、弾性層５の少なくとも一部の面の上方に配置されれば良いが、弾性層５の全部の面の上方に配置されても良い。
【００２７】
センサー６の上に接着材層８が形成され、接着材層８の上にフィルム層７が形成される。このことから、フィルム層７の下にセンサー６が配置され、フィルム層７の下面に接着材層８によりセンサー６が取り付けられていることにもなる。こうした構成によれば、センサー６は、フィルム層７により保護される。なお、センサー６は、フィルム層７の上に配置される構成であっても良い（これに関しては、図４、図６を参照しつつ後述する）。以下、センサーモジュール１０を構成する要素に関して詳述する。
【００２８】
センサー６の種類は、特に特定されなくても良いが、本実施例では例えば、構造物１００の歪みを計測する歪みセンサーが用いられる。また、センサー６として、加速度センサー、熱センサー、温室センサー、ＡＥ（アコースティックエミッション）、音センサー、表面弾性波センサー、超音波センサー、ＧＰＳ（グローバルポジションシステム）センサー、距離センサ（測距センサ）等が使用されても良い。また、前述のセンサーは、単体で使用されても良く、２つ以上が適宜組み合わせられて使用されても良く、全てが使用されても良い。また、一種類のセンサーが複数個使用されても良い。こうしたセンサーのいずれかにより、構造物１００の歪み、振動、熱、環境音、ひび割れ、位置等の変化のいずれかを監視することができる。
【００２９】
図１Ｂは、図１Ａのセンサーモジュール１０が構造物１００に取付けられた状態を示す断面図である。図１Ｂで示すように、センサーモジュール１０は、弾性層５により構造物１００に固定される。また、センサーモジュール１０が構造物１００に取付けられるときに、弾性層５とフィルム層７の側面に第２耐候性層１６が配置されてもよい。第２耐候性層１６も耐候性を有し、第２耐候性層１６が覆う構成を外部環境から守る機能を有する。特に、第２耐候性層１６は、センサーモジュール１０を構造物１００に取付けた後に、センサーモジュール１０のエッジを保護するために設けられる。また、この第２耐候性層１６は、フィルム層７の表面にまで跨って覆っても良い。第２耐候性層１６としては、ポリシロキサンナノ粒子とＵＶ吸収剤が高密度に分散されたアクリル樹脂、アクリル変性シリコーン樹脂、ＲＴＶ（Ｒｏｏｍ  Ｔｅｍｐｅｒａｔｕｒｅ  Ｖｕｌｃａｎｉｚｉｎｇ）ゴム、エポキシ樹脂、ウレタン樹脂、等が用いられる。
【００３０】
図２は、センサ６、ワイヤー１１、配線９の平面図である。センサー６は金属抵抗体パターン６Ｘを有する。金属抵抗体パターン６Ｘには、ワイヤー１１、配線９が順に接続されている。例えば、構造物１００に矢印Ｍ方向の引張りの力が作用して伸びる方向に変形すると、金属抵抗体パターン６Ｘが矢印Ｍ方向に伸びる。パターンが伸びると、抵抗体の長さが長くなり、且つ断面積が減少するため抵抗値が大きくなる。このような抵抗値の変化により、構造物１００の変形を検出する。
【００３１】
１−１−４．その他構成
ここで図１の説明に戻る。センサー６と配線９との間はワイヤー１１で接続される。また、センサー６には、センサー６の検出情報を処理する図示しないデータ処理部が内蔵され、データ処理部から出力される測定データを外部機器に無線で出力する構成が含まれていても良い。また、振動発生素子、太陽電池、蓄電池、電源コントローラを含む電源部が設けられても良い。こうした構成であれば、センサーモジュール１０は、自分で発電して無線で発信し、構造物１００の情報を外部で取得する構成にすることも可能である。
【００３２】
第２実施形態
２−１．電子部品モジュールの構成２
図３Ａは、第２実施形態に係るセンサーモジュール２０の断面図である。第２実施形態の構成が第１実施形態の構成と異なるのは、センサーモジュール２０が、第１耐候性層２１と、封止材層２２と、を更に備える点である。
【００３３】
２−１−１．第１耐候性層
第１耐候性層２１（耐候性カバー層ともいう）は、フィルム層７の上方（フィルム層７の上の封止材層２２の上）に配置されてフィルム層７を被覆する。第１耐候性層２１は、耐候性を有する材質で形成され、第１耐候性層２１が覆うものを外部環境から守る機能を有する。第１耐候性層２１には、ポリエチレンテレフタレート、フッ素フィルム等の多層構造で形成されても良い。
【００３４】
第１耐候性層２１は、水蒸気バリア層やＵＶカット層を有しても良い。水蒸気バリア層は、例えば、ポリエチレンテレフタレート層の上にＳｉＯｘ層を形成することで製造しても良い。ＵＶカット層は、例えば、ポリシロキサンナノ粒子とＵＶ吸収剤が高密度に分散されたアクリル樹脂層などが適用でき、第１耐候性層２１の最も表面に形成しても良い。
【００３５】
２−１−２．封止材層
封止材層２２は、フィルム層７と第１耐候性層２１との間に配置される。封止材層２２は、フィルム層７の孔７ａ内の配線９を、部分的に封止する。また、封止材層２２は、第１耐候性層２１とフィルム層７との間を接着する接着材として機能する。封止材層２２は、半導体分野で一般的に使われるＢＧＡパッケージ用あるいはベアチップ用アンダーフィル材を用いる事ができ、他にアクリル変性シリコーン樹脂、ＲＴＶ（Ｒｏｏｍ  Ｔｅｍｐｅｒａｔｕｒｅ  Ｖｕｌｃａｎｉｚｉｎｇ）ゴム、オレフィン樹脂、エバ、ホットメルト系のエポキシ樹脂（熱硬化樹脂）等により形成される。
【００３６】
第１耐候性層２１には厚み方向に孔２１ａが形成され、封止材層２２には厚み方向に孔２２ａが形成され、これらの孔２１ａと孔２２ａとで孔２３が形成される。孔２３の領域に端子９ａが対向しており、端子９ａが孔２３から露出している。この孔２３が半田等で埋められる等してセンサー６が保護される構成でも良い。
【００３７】
２−２．電子部品モジュールの構成３
２−２−１．第２耐候性層
図３Ｂは、図３Ａのセンサーモジュール２０が構造物１００に取付けられた状態を示す断面図である。図３Ｂで示すように、センサーモジュール２０は、弾性層５により構造物１００に固定される。また、センサーモジュール２０が構造物１００に取付けられるときに、弾性層５、フィルム層７、封止材層２２、第１耐候性層２１の側面に第２耐候性層１６（耐候性樹脂層ともいう）が配置されてそれらの層を覆っても良い。この第２耐候性層１６は、第１耐候性層２１の表面まで跨って覆っても良い。
【００３８】
第２耐候性層１６も耐候性を有し、第２耐候性層１６が覆う構成を外部環境から守る機能を有する。特に、第２耐候性層１６は、センサーモジュール１０を構造物１００に取付けた後に、センサーモジュール１０のエッジを保護するために設けられる。
【００３９】
なお、図４Ａに示されるように、センサー６がフィルム層７の上に接着材層８により貼付される構成であっても良い。ここでは、センサー６は、上方がさらに封止材層２２と第１耐候性層２１で被覆されており、保護されている。また、この構成の場合にも、図４Ｂに示されるように、センサーモジュール２０が構造物１００に固定されるときに、第２耐候性層１６が、弾性層５、フィルム層７、封止材層２２、第１耐候性層２１の側面に配置されてそれらの層を覆うように構成しても良い。この第２耐候性層１６は、第１耐候性層２１の表面まで跨って覆っても良い。
【００４０】
第３実施形態
３−１．電子部品モジュールの構成４
図５Ａは、第３実施形態に係るセンサーモジュール３０の断面図である。封止材層２２は、フィルム層７と第１耐候性層２１との間に配置され、内部に配線９が配置され、配線９を封止する。また、センサーモジュール３０は、封止材層２２の内部に配置される電子部品３１を備える。電子部品３１は、少なくともアンプ、集積回路、発信機、電池のいずれかを含む。こうした構成であれば、自立発電と無線発信が可能となり、外部に構造物１００の状態の情報を送ることができる。
【００４１】
また、この場合にも、図５Ｂに示されるように、センサーモジュール３０が構造物１００に固定されるときに、第２耐候性層１６が、弾性層５、フィルム層７、封止材層２２、第１耐候性層２１の側面に配置されてそれらの層を覆うように構成しても良い。この第２耐候性層１６は、第１耐候性層２１の表面まで跨って覆っても良い。
【００４２】
３−２．電子部品モジュールの構成５
なお、図６Ａに示されるように、センサー６がフィルム層７の上に接着材層８により貼付される構成であっても良い。ここでは、センサー６は、上方が封止材層２２と第１耐候性層２１で被覆されており、保護されている。
【００４３】
また、この場合にも、図６Ｂに示されるように、センサーモジュール３０が構造物１００に固定されるときに、第２耐候性層１６が、弾性層５、フィルム層７、封止材層２２、第１耐候性層２１の側面に配置されるように構成しても良い。この第２耐候性層１６は、第１耐候性層２１の表面まで跨って覆っても良い。
【００４４】
第１実施形態乃至第３実施形態のいずれかのセンサーモジュール１０、２０、３０によれば、従来よりも、センサー６を構造物１００に対して容易に取付け可能であると共に、取付け品質のバラツキを抑制できる。また、センサー６の耐久性が向上する。また、特に、直射日光や水分に対するセンサー６の耐久性が向上することで、センサー６の取り付け精度の向上や検知の再現性が向上する。
【００４５】
第４実施形態
図７及び図８を用いて、第４実施形態に係るセンサーモジュール４０について説明する。図７は、第４実施形態に係るセンサーモジュールの断面図である。図８は、図７のセンサーモジュールを剥離フィルム側から見た平面図である。本実施形態に係るセンサーモジュール４０は、第１実施形態に係るセンサーモジュール１０（図１Ａ参照）と概ね同じである。そこで、重複する箇所についての詳細な説明は省略し、異なる箇所についてのみ詳細に説明する。
【００４６】
第４実施形態に係るセンサーモジュール４０は、図１Ａに示すセンサーモジュール１０とは、弾性層５において異なる。すなわち、センサーモジュール４０の弾性層５は、粘接着性を有する第１粘接着層１２と、第１粘接着層１２の周縁に配置された第２粘接着層１２とを含む。図８に示すように、第２粘接着層１３の長辺と第１粘接着層１２の長辺とは、所定の距離ｄ１だけ離れている。言い換えれば、第２粘接着層１３の端部１３ａと第１粘接着層１２の周縁１２ａとは、所定の距離ｄ１だけ離れている。同様に、第２粘接着層１３の短辺と第１粘接着層１２の短辺とは、所定の距離ｄ１だけ離れている。所定の距離ｄ１は、３ｍｍ以上である。より好ましくは、所定の距離ｄ１は、５ｍｍ以上である。
【００４７】
第２粘接着層１３は、第１粘接着層１２よりも粘着力が強い。具体的には、第２粘接着層１３は粘着力が４（Ｎ／１０ｍｍ）以上、望ましくは９（Ｎ／１０ｍｍ）以上である。ところで、第１粘接着層１２の材質は、例えば、アクリル系樹脂やエポキシ系樹脂を含む。そこで、第２粘接着層１３の材質は、アクリル系樹脂やエポキシ樹脂、ブチルゴムである。なお、第２粘接着層１３は、粘着性のみ有し、硬化しない材料でもよい。
【００４８】
第１実施形態から第３実施形態と同様に、フィルム層７は、一方の面（第１面）７ｂと第１面とは反対側の面である第２面７ｃを有する。この例では、図７に示すように、センサー６は、フィルム層７の第１面側に配置されている。また、図７及び図８に示すように、センサー６は、フィルム層７と第１粘接着層１２との間に配置されている。
【００４９】
本実施形態においても、第１実施形態と同様の効果を奏する。
【００５０】
ところで、フィルム層７は、その端部から３ｍｍ〜１０ｍｍ程度の箇所において製造プロセスやフィルム層７自体の特性（例えば、分子配向）などに起因する反りが生じることがある。そのため、本実施形態に係るセンサーモジュール４０を構造物１００に固定した際に、端部が浮いて剥がれやすくなることがある。本実施形態に係るセンサーモジュール４０は、第１粘接着層１２の周縁に第１粘接着層１２よりも粘着力が強い第２粘接着層１３が配置されている。そして、第２粘接着層１３は、その端部１３ａから第１粘接着層１２の周縁１２ａまでの距離ｄ１が５ｍｍ程度である。センサーモジュールの外周に、粘着力が強い第２粘接着層１３を設けることで、当該反りによるセンサー端部の浮きが生じることを抑制することができる。
【００５１】
変形例１
以上の第４実施形態に係るセンサーモジュール４０の説明では、第１実施形態の図１Ａのセンサーモジュール１０の弾性層５を第１粘接着層１２と第２粘接着層１３とにすることを前提に説明した。これと同様に、第１実施形態（図１Ｂ）の弾性層５、第２実施形態（図３Ａ、図３Ｂ、図４Ａ及び図４Ｂ）の弾性層５、第３実施形態（図５Ａ、図５Ｂ、図６Ａ及び図６Ｂ）の弾性層５を、第１粘接着層１２と第２粘接着層１３としてもよい。これらの変形例においても、それぞれの実施形態における効果に加えて、フィルム層７において生じる反りを抑制することができる。
【００５２】
変形例２
以上の第４実施形態及び変形例２においては、第２粘接着層１３の端部１３ａから第１粘接着層１２の周縁１２ａまでの距離が、図８に示すように、ｄ１で等距離であることを前提に説明した。もっとも、第２粘接着層１３の端部１３ａから第１粘接着層１２の周縁１２ａまでの距離は、フィルム層７の反りを抑制することができれば、等距離でなくてもよい。ここで、図９は、第４実施形態の変形例２に係るセンサーモジュールを剥離フィルム側から見た平面図である。図９に示すように、第２粘接着層１３の端部１３ａから第１粘接着層１２の周縁１２ａまでの距離がｄ１よりも短いｄ２である箇所や、ｄ１よりも長いｄ３である箇所があってもよい。言い換えれば、図９のように上面視において、第１粘接着層１２や第２粘接着層１３は、凸部や凹部を有していてもよい。また、領域Ａで示すように、第１粘接着層１２と第２粘接着層１３との境界が折れ曲がったジグザグ形状になっていてもよい。これらの変形例においても、それぞれの実施形態における効果に加えて、フィルム層７において生じる反りを抑制することができる。
【００５３】
第５実施形態
図１０及び図１１を用いて、第５実施形態に係るセンサーモジュール５０について説明する。図１０は、第５実施形態に係るセンサーモジュールの断面図である。図１０のセンサーモジュールをフィルム層の第２面側から見た図である。本実施形態に係るセンサーモジュール５０は、第１実施形態に係るセンサーモジュール１０（図１Ａ参照）と概ね同じである。そこで、重複する箇所についての詳細な説明は省略し、異なる箇所についてのみ詳細に説明する。
【００５４】
第５実施形態に係るセンサーモジュール５０は、図１Ａに示すセンサーモジュール１０とは、フィルム層７において異なる。すなわち、センサーモジュール５０のフィルム層７の第２面７ｃには、第１切り欠き部１４が設けられている。図１１に示すように、第１切り欠き部１４は、フィルム層７の端部から所定の距離ｄ１に設けられている。
【００５５】
第１切り欠き部１４は、フィルム層７の第２面７ｃから、フィルム層７の厚み方向に、フィルム層７の中間よりも第１面７ｂ側に設けられている。言い換えれば、図１０に示す第１切り欠き部１４の深さｄｐ１は、フィルム層７の厚みｄｐ２との関係において、「ｄｐ１＞ｄｐ２／２」との関係が成り立つ。なお、第１切り欠き部１４は、フィルム層７の第２面７ｃに対して、カッターなどの鋭利な物体によって切り込むことによって形成することが可能である。
【００５６】
本実施形態においても、第１実施形態と同様の効果を奏する。
【００５７】
フィルム層７は、フィルム層７の端部からｄ１の距離から反りが生じ始める。そこで、フィルム層７の端部から所定の距離ｄ１に第１切り欠き部１４を設けることによって、当該反りが生じることを抑止することができる。
【００５８】
以上の説明では、図１Ａに示すセンサーモジュール１０のフィルム層７に第１切り欠き部１４を設けたことを前提に説明した。もっとも、これと同様に、図１Ｂに示すセンサーモジュール１０のフィルム層７に、第１切り欠き部１４を設けてもよい。
【００５９】
変形例１
図１２を用いて、第５実施形態の変形例に係るセンサーモジュール６０について説明する。図１２は、第５実施形態の変形例１に係るセンサーモジュールの断面図である。センサーモジュール６０は、第２実施形態のセンサーモジュール２０（図３Ａ参照）と概ね同じである。そこで、重複する箇所についての詳細な説明は省略し、異なる箇所についてのみ詳細に説明する。また、センサーモジュール６０のフィルム層７に、第１切り欠き部１４が設けられている点は、第５実施形態のセンサーモジュール５０と同じである。そこで、第１切り欠き部１４に関する詳細な説明についても、ここでは省略する。
【００６０】
第１耐候性層２１には、厚み方向に当該第１耐候性層２１を貫通する第２切り欠き部６２が設けられている。同様に、封止材層２２には、厚み方向に当該封止材層２２を貫通する第３切り欠き部６４が設けられている。第２切り欠き部６２は、第１耐候性層２１の端部から所定の距離ｄ１に設けられている。同様に、第３切り欠き部６４は、封止材層２２の端部から所定の距離ｄ１に設けられている。すなわち、第３切り欠き部６４は、第１切り欠き部１４及び第２切り欠き部６２と接続しているといえる。
【００６１】
本変形例においても、第２実施形態と同様の効果を奏する。
【００６２】
前述のとおり、フィルム層７は、フィルム層７の端部からｄ１の距離から反りが生じ始める。そして、フィルム層７の第２面側に配置された封止材層２２及び第１耐候性層２１は、フィルム層７の反りに伴って反ってしまう。そこで、前述の位置に第１切り欠き部１４、第２切り欠き部６２及び第３切り欠き部６４をそれぞれ設けることによって、フィルム層７、第１耐候性層２１及び封止材層２２に生じる反りを抑制することができる。
【００６３】
以上の説明では、図３Ａのセンサーモジュール２０のフィルム層７に、第１切り欠き部１４、第１耐候性層２１に第２切り欠き部６２、封止材層２２に第３切り欠き部６４をそれぞれ設けたことを前提に説明した。もっとも、これと同様に、図３Ｂ、図４Ａ及び図４Ｂに示すセンサーモジュール２０、図５Ａ、図５Ｂ、図６Ａ及び図６Ｂに示すセンサーモジュール３０のフィルム層７に、第１切り欠き部１４、第１耐候性層２１に第２切り欠き部６２、封止材層２２に第３切り欠き部６４をそれぞれ設けてもよい。
【００６４】
変形例２
図１３を用いて、第５実施形態の変形例に係るセンサーモジュール７０について説明する。図１３は、第５実施形態の変形例２に係るセンサーモジュールの断面図である。センサーモジュール７０は、第２実施形態のセンサーモジュール２０（図３Ａ参照）と概ね同じである。そこで、重複する箇所についての詳細な説明は省略し、異なる箇所についてのみ詳細に説明する。
【００６５】
センサーモジュール７０のフィルム層７には、第１切り欠き部１４が設けられている。この点については、第５実施形態のセンサーモジュール５０と同じである。そこで、第１切り欠き部１４に関する詳細な説明についても、ここでは省略する。他方、変形例１に係るセンサーモジュール６０と異なり、第１耐候性層２１には、第２切り欠き部は設けられていない。また、封止材層２２にも、第３切り欠き部は設けられていない。
【００６６】
本変形例においても、変形例１と同様の効果を奏する。
【００６７】
以上の説明では、図３Ａのセンサーモジュール２０のフィルム層７に、第１切り欠き部１４を設けたことを前提に説明した。もっとも、これと同様に、図３Ｂ、図４Ａ及び図４Ｂに示すセンサーモジュール２０、図５Ａ、図５Ｂ、図６Ａ及び図６Ｂに示すセンサーモジュール３０のフィルム層７に、第１切り欠き部１４をそれぞれ設けてもよい。
【００６８】
変形例３
以上の第５実施形態及び変形例においては、第１切り欠き部１４、第２切り欠き部６２及び第３切り欠き部６４は、それぞれ連続的に設けられていることを前提に説明した（例えば、図１１参照）。もっとも、第１切り欠き部１４、第２切り欠き部６２及び第３切り欠き部６４は、ミシン目のように断続的に設けられていてもよい。本変形例においても、第５実施形態と同様の効果を奏する。
【００６９】
第６実施形態
図１４を用いて、第６実施形態に係るセンサーモジュール８０について説明する。図１４は、第６実施形態に係るセンサーモジュールの断面図である。センサーモジュール８０は、第２実施形態のセンサーモジュール２０（図３Ａ参照）と概ね同じである。そこで、重複する箇所についての詳細な説明は省略し、異なる箇所についてのみ詳細に説明する。
【００７０】
センサーモジュール８０の第１耐候性層２１には、封止材層２２が配置されているのとは反対側にマグネット８２が配置されている。剥離フィルム５０を剥離して、弾性層５を構造物１００に付着させる場合、当該構造物１００が鋼材などのマグネット８２を引き寄せる性質を有する材質であるときには、マグネット８２を、フィルム層７の反りが生じる箇所に配置することによって、フィルム層７に反りが生じることを抑制することができる。なお、マグネット８２は、必要な吸引力を得るため、少なくとも、Φ２ｍｍ、高さ１ｍｍ以上の体積を有することが望ましい。
【００７１】
本実施形態においても、第２実施形態と同様の効果を奏する。加えて、本実施形態においては、フィルム層７に反りが生じることを抑制することができる。
【００７２】
変形例
以上の第６実施形態では、マグネット８２は、第１耐候性層２１の封止材層２２が配置されているのとは反対側に配置されていることを前提に説明した。もっとも、マグネット８２の位置はこれに限定されるものではない。フィルム層７と封止材層２２との間に配置されてもよいし、封止材層２２と第１耐候性層２１との間に配置されてもよい。これらの場合であっても、第６実施形態と同様の効果を奏する。
【００７３】
以上の第６実施形態及び変形例においては、図３Ａの第２実施形態のセンサーモジュール２０にマグネット８２を配置することを前提に説明した。もっとも、これに限定されるものではない。図３Ｂ、図４Ａ及び図４Ｂに示すセンサーモジュール２０、図５Ａ、図５Ｂ、図６Ａ及び図６Ｂに示すセンサーモジュール３０のフィルム層７と封止材層２２との間、封止材層２２と第１耐候性層２１との間、第１耐候性層２１の封止材層２２が配置される側とは反対側の少なくとも一つに、マグネット８２を配置してもよい。
【００７４】
なお、第１実施形態から第６実施形態、各変形例のセンサーモジュール１０から８０の各々は、センサー６を少なくとも１つを有する単位シートとして、単位シートが互いに分離可能に複数結合されたシートモジュール２００として構成されても良い（図１５参照）。
【符号の説明】
【００７５】
１０、２０、３０、４０、５０、６０、７０、８０  センサーモジュール
５    弾性層
６    センサー
７    フィルム層
８    接着材層
９    配線
１６  第２耐候性層
２１  第１耐候性層
２２  封止材層
３１  電子部品
【図１Ａ】
2017155095.tif 000003
【図１Ｂ】
2017155095.tif 000004
【図２】
2017155095.tif 000005
【図３Ａ】
2017155095.tif 000006
【図３Ｂ】
2017155095.tif 000007
【図４Ａ】
2017155095.tif 000008
【図４Ｂ】
2017155095.tif 000009
【図５Ａ】
2017155095.tif 000010
【図５Ｂ】
2017155095.tif 000011
【図６Ａ】
2017155095.tif 000012
【図６Ｂ】
2017155095.tif 000013
【図７】
2017155095.tif 000014
【図８】
2017155095.tif 000015
【図９】
2017155095.tif 000016
【図１０】
2017155095.tif 000017
【図１１】
2017155095.tif 000018
【図１２】
2017155095.tif 000019
【図１３】
2017155095.tif 000020
【図１４】
2017155095.tif 000021
【図１５】
2017155095.tif 000022
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備え、
前記弾性層は、粘接着性を有する第１粘接着層と、当該第１粘接着層の周縁に配置され前記第１粘接着層よりも粘着力が強い第２粘接着層とを含み、
前記センサーは、前記フィルム層と前記第１粘接着層との間に配置されるセンサーモジュール。
【請求項２】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
前記フィルム層の前記第２面に、前記フィルム層の端部から所定の距離に設けられた第１切り欠き部と、
を備えるセンサーモジュール。
【請求項３】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備え、
前記フィルム層と前記弾性層は、透明であるセンサーモジュール。
【請求項４】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備え、
前記フィルム層には厚み方向に孔が形成され、前記孔には前記センサーの配線が通され、前記孔から前記配線の端子が露出するように構成されるセンサーモジュール。
【請求項５】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
前記フィルム層及び前記弾性層の側面に配置されて前記フィルム層及び前記弾性層を被覆し、耐候性を有する第２耐候性層と、
を備えるセンサーモジュール。
【請求項６】
前記弾性層は、粘接着性を有する粘接着層である請求項１から請求項５の何れか一に記載のセンサーモジュール。
【請求項７】
前記第１切り欠き部は、前記フィルム層の前記第２面から、前記フィルム層の厚み方向に、前記フィルム層の中間よりも前記第１面側まで設けられていることを特徴とする請求項２に記載のセンサーモジュール。
【請求項８】
前記センサーは、前記構造物の歪みを計測する歪みセンサー、加速度センサー、熱センサー、温湿センサー、アコースティックエミッションセンサーのいずれかを含む請求項１から請求項５のいずれか一に記載のセンサーモジュール。
【請求項９】
前記フィルム層の前記第２面側に配置されて前記フィルム層を被覆し、耐候性を有する第１耐候性層をさらに備える請求項４に記載のセンサーモジュール。
【請求項１０】
前記フィルム層と前記第１耐候性層との間に配置される封止材層をさらに備える請求項９に記載のセンサーモジュール。
【請求項１１】
前記第１耐候性層は、厚み方向に当該第１耐候性層を貫通する第２切り欠き部をさらに含み、
前記第２切り欠き部は、前記第１耐候性層の端部から所定の距離に設けられ、前記第１切り欠き部と接続することを特徴とする請求項１０に記載のセンサーモジュール。
【請求項１２】
前記封止材層は、厚み方向に当該封止材層を貫通する第３切り欠き部をさらに含み、
前記第３切り欠き部は、前記封止材層の端部から所定の距離に設けられ、前記第１切り欠き部及び前記第２切り欠き部と接続することを特徴とする請求項１１に記載のセンサーモジュール。
【請求項１３】
前記フィルム層と前記封止材層との間、前記封止材層と前記第１耐候性層との間、及び前記第１耐候性層の前記フィルム層が配置される側とは反対側の少なくとも一つに、前記構造体に引き寄せられる性質を有するマグネットをさらに備えることを特徴とする請求項９に記載のセンサーモジュール。
【請求項１４】
前記封止材層は、内部に前記配線が配置される請求項１１に記載のセンサーモジュール。
【請求項１５】
前記第１耐候性層及び前記封止材層には厚み方向に孔が形成され、前記孔から前記配線の端子が露出するように構成される請求項１４に記載のセンサーモジュール。
【請求項１６】
前記封止材層の内部に配置される電子部品を備える請求項１１に記載のセンサーモジュール。
【請求項１７】
前記電子部品は、少なくともアンプ、集積回路、発信機、電池のいずれかを含む請求項１６に記載のセンサーモジュール。
【請求項１８】
前記フィルム層は、ポリエチレンナフタレート、ポリエチレンテレフタレートのいずれかを含む請求項１から請求項５のいずれか一に記載のセンサーモジュール。
【請求項１９】
前記弾性層は、光硬化性を有する層である請求項１から請求項５のいずれか一に記載のセンサーモジュール。
【請求項２０】
前記弾性層は、アクリル系樹脂又はエポキシ系樹脂を含む請求項１９に記載のセンサーモジュール。
【請求項２１】
前記第１耐候性層及び前記封止材層が透明である請求項１０に記載のセンサーモジュール。
【請求項２２】
前記第２耐候性層が透明である請求項５に記載のセンサーモジュール。
【請求項２３】
請求項１から請求項５のいずれか一に記載のセンサーモジュールの各々は、前記センサーを少なくとも１つを有する単位シートであり、前記単位シートが互いに分離可能に複数結合されたシートモジュール。
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備え、
前記弾性層は、粘接着性を有する第１粘接着層と、当該第１粘接着層の周縁に配置され前記第１粘接着層よりも粘着力が強い第２粘接着層とを含み、
前記センサーは、前記フィルム層と前記第１粘接着層との間に配置されるセンサーモジュール。
【請求項２】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
前記フィルム層の前記第２面に、前記フィルム層の端部から所定の距離に設けられた第１切り欠き部と、
を備えるセンサーモジュール。
【請求項３】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備え、
前記フィルム層と前記弾性層は、透明であるセンサーモジュール。
【請求項４】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
を備え、
前記フィルム層には厚み方向に孔が形成され、前記孔には前記センサーの配線が通され、前記孔から前記配線の端子が露出するように構成されるセンサーモジュール。
【請求項５】
第１面及び前記第１面とは反対側の面である第２面を有するフィルム層と、
前記フィルム層の前記第１面側に配置された弾性層と、
前記フィルム層の前記第１面側又は前記第２面側に配置された、構造物の性質に係る物理量を検知するセンサーと、
前記フィルム層及び前記弾性層の側面に配置されて前記フィルム層及び前記弾性層を被覆し、耐候性を有する第２耐候性層と、
を備えるセンサーモジュール。
【請求項６】
前記弾性層は、粘接着性を有する粘接着層である請求項１から請求項５の何れか一に記載のセンサーモジュール。
【請求項７】
前記第１切り欠き部は、前記フィルム層の前記第２面から、前記フィルム層の厚み方向に、前記フィルム層の中間よりも前記第１面側まで設けられていることを特徴とする請求項２に記載のセンサーモジュール。
【請求項８】
前記センサーは、前記構造物の歪みを計測する歪みセンサー、加速度センサー、熱センサー、温湿センサー、アコースティックエミッションセンサーのいずれかを含む請求項１から請求項５のいずれか一に記載のセンサーモジュール。
【請求項９】
前記フィルム層の前記第２面側に配置されて前記フィルム層を被覆し、耐候性を有する第１耐候性層をさらに備える請求項４に記載のセンサーモジュール。
【請求項１０】
前記フィルム層と前記第１耐候性層との間に配置される封止材層をさらに備える請求項９に記載のセンサーモジュール。
【請求項１１】
前記フィルム層の前記第２面に、前記フィルム層の端部から所定の距離に設けられた第１切り欠き部を含み、
前記第１耐候性層は、前記第１耐候性層の端部から所定の距離において、厚み方向に当該第１耐候性層を貫通する第２切り欠き部をさらに含むことを特徴とする請求項１０に記載のセンサーモジュール。
【請求項１２】
前記封止材層は、厚み方向に当該封止材層を貫通する第３切り欠き部をさらに含み、
前記第３切り欠き部は、前記封止材層の端部から所定の距離に設けられ、前記第１切り欠き部及び前記第２切り欠き部と接続することを特徴とする請求項１１に記載のセンサーモジュール。
【請求項１３】
前記フィルム層と前記封止材層との間、前記封止材層と前記第１耐候性層との間、及び前記第１耐候性層の前記フィルム層が配置される側とは反対側の少なくとも一つに、前記構造体に引き寄せられる性質を有するマグネットをさらに備えることを特徴とする請求項１０に記載のセンサーモジュール。
【請求項１４】
前記封止材層は、内部に前記配線が配置される請求項１１に記載のセンサーモジュール。
【請求項１５】
前記第１耐候性層及び前記封止材層には厚み方向に孔が形成され、前記孔から前記配線の端子が露出するように構成される請求項１４に記載のセンサーモジュール。
【請求項１６】
前記封止材層の内部に配置される電子部品を備える請求項１１に記載のセンサーモジュール。
【請求項１７】
前記電子部品は、少なくともアンプ、集積回路、発信機、電池のいずれかを含む請求項１６に記載のセンサーモジュール。
【請求項１８】
前記フィルム層は、ポリエチレンナフタレート、ポリエチレンテレフタレートのいずれかを含む請求項１から請求項５のいずれか一に記載のセンサーモジュール。
【請求項１９】
前記弾性層は、光硬化性を有する層である請求項１から請求項５のいずれか一に記載のセンサーモジュール。
【請求項２０】
前記弾性層は、アクリル系樹脂又はエポキシ系樹脂を含む請求項１９に記載のセンサーモジュール。
【請求項２１】
前記第１耐候性層及び前記封止材層が透明である請求項１０に記載のセンサーモジュール。
【請求項２２】
前記第２耐候性層が透明である請求項５に記載のセンサーモジュール。
【請求項２３】
請求項１から請求項５のいずれか一に記載のセンサーモジュールの各々は、前記センサーを少なくとも１つを有する単位シートであり、前記単位シートが互いに分離可能に複数結合されたシートモジュール。
【国際調査報告】
2017155095.tif 000023
2017155095.tif 000024
2017155095.tif 000025
2017155095.tif 000026